【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
濃縮装置であって、
少なくとも１つのマイクロチャネルと、
少なくとも１つのナノチャネルと、
前記ナノチャネル内に電場を誘起させるためのユニットと、
前記マイクロチャネル内に界面動電駆動流又は圧力駆動流を発生させるためのユニットと、
対象種を含む液体がその中を流れることができるようにした導管とを備え、
前記マイクロチャネルは前記ナノチャネルと接続し、前記導管は前記マイクロチャネルと接続していることを特徴とする装置。
【請求項２】
対象種を含む液体を前記装置に導入し、前記ナノチャネル内及び前記マイクロチャネル内に前記電場を別個に誘起させることによって、前記対象種が前記マイクロチャネル内で濃縮されるようにしたことを特徴とする請求項１に記載の装置。
【請求項３】
前記ナノチャネル内、前記マイクロチャネル内、又はその組み合わせにおいて、前記電場を誘起させるための前記手段は電源であり、
前記電源によって印加される電圧は、５０ｍＶ乃至５００Ｖであることを特徴とする請求項１に記載の装置。
【請求項４】
前記電源が、前記マイクロチャネルの陽極側及び陰極側に等しい電圧を印加するようにし、かつ／または前記電源が、前記マイクロチャネルの陽極側に、その陰極側に印加する電圧と比較して、より大きな電圧を印加するようにしたことを特徴とする請求項３に記載の装置。
【請求項５】
前記マイクロチャネルの幅は、１〜１００μｍの間であり、
前記マイクロチャネルの奥行きは、０．５〜５０μｍの間であり、
前記ナノチャネルの幅は、１μｍ〜５０μｍの間であり、
前記ナノチャネルの奥行きは、２０〜１００ナノメートルの間であることを特徴とする請求項１に記載の装置。
【請求項６】
前記装置は、透明な材料からなることを特徴とする請求項１に記載の装置。
【請求項７】
前記装置は、分離システム、検出システム、解析システム又はその組み合わせと接続していることを特徴とする請求項１に記載の装置。
【請求項８】
前記装置は、複数のマイクロチャネル、ナノチャネル又はその組み合わせを備えることを特徴とする請求項１に記載の装置。
【請求項９】
前記配置は、前記マイクロチャネルを前記ナノチャネルに対して垂直に配置することを含むことを特徴とする請求項１に記載の装置。
【請求項１０】
前記装置は、１つのナノチャネルと接続した第１及び第２の各マイクロチャネルを備え、
前記第１のマイクロチャネル内の懸濁用緩衝液又は緩衝溶液の中に試料を入れ、前記第２のマイクロチャネル内に低濃度の前記懸濁用緩衝液又は緩衝溶液を入れることを特徴とする請求項１に記載の装置。
【請求項１１】
液体中の対象種を濃縮するための方法であって、
液体中の対象種の濃縮に請求項１に記載の前記装置を使用することを含むことを特徴とする方法。
【請求項１２】
液体中の対象種を濃縮するための方法であって、
前記対象種を含む前記液体を、前記液体の供給源から、ナノチャネルと接続したマイクロチャネルを備える濃縮装置に導入するステップと、
前記ナノチャネル内に電場を誘起して、前記ナノチャネルと接続した前記マイクロチャネルの領域内にイオン欠乏を発生させ、前記対象種のエネルギ障壁となる空間電荷層を形成するステップと、
前記マイクロチャネル内に液体の流れを発生させるステップとを含むことを特徴とする方法。
【請求項１３】
前記流れは、電気浸透流であり、前記電気浸透流は、前記マイクロチャネル内での電場の誘起によって、前記マイクロチャネル内に発生することを特徴とする請求項１２に記載の方法。
【請求項１４】
前記流れは、圧力駆動流であることを特徴とする請求項１２に記載の方法。
【請求項１５】
前記電場は、前記ナノチャネル内、前記マイクロチャネル内、又はその組み合わせにおいて誘起され、
前記ナノチャネル内、前記マイクロチャネル内、又はその組み合わせにおいて誘起される前記電場は、前記ナノチャネル、前記マイクロチャネル、又はその組み合わせに電圧を印加することによって誘起され、
前記電圧は、５０ｍＶ乃至５００Ｖであることを特徴とする請求項１２に記載の方法。
【請求項１６】
少なくとも１つのマイクロチャネルが少なくとも１つのナノチャネルと接続し、前記マイクロチャネルは、前記ナノチャネルに対して垂直に配置されることを特徴とする請求項１２に記載の方法。
【請求項１７】
第１及び第２の各マイクロチャネルが１つのナノチャネルと接続し、
前記第１のマイクロチャネル内の懸濁用緩衝液又は緩衝溶液の中に試料を入れ、
前記第２のマイクロチャネル内に低濃度の前記懸濁用緩衝液又は緩衝溶液を入れることを特徴とする請求項１２に記載の方法。
【請求項１８】
前記マイクロチャネルの陽極側及び陰極側に等しい電圧が印加され、かつ／または記マイクロチャネルの陽極側に、その陰極側に印加される電圧と比較して、より大きい電圧が印加されることを特徴とする請求項１５に記載の方法。
【請求項１９】
前記マイクロチャネルの前記陽極側に、前記より大きい電圧を印加する前に、空間電荷層が前記マイクロチャネル内に生成されることを特徴とする請求項１８に記載の方法。
【請求項２０】
前記液体は、懸濁液又は溶液であることを特徴とする請求項１２に記載の方法。
【請求項２１】
前記懸濁液は、臓器ホモジネート、細胞抽出物又は血液試料であることを特徴とする請求項２０に記載の方法。
【請求項２２】
前記対象種は、タンパク質、ポリペプチド、核酸、ウイルス粒子又はその組み合わせを含むことを特徴とする請求項１２に記載の方法。
【請求項２３】
前記装置は、分離システム、検出システム、解析システム又はその組み合わせと接続していることを特徴とする請求項１２に記載の方法。
【請求項２４】
前記対象種にキャピラリー電気泳動を受けさせるステップをさらに含むことを特徴とする請求項１２に記載の方法。
【請求項２５】
前記対象種を前記装置から放出するステップをさらに含み、
前記対象種が検出下限より低い濃度で前記液体中に存在するとき、前記対象種を検出するために前記方法を用いることを特徴とする請求項１２に記載の方法。
【請求項２６】
システム内の液体の流れを制御するための方法であって、
荷電種又は中性種を含む前記液体を、前記液体の供給源から、ナノチャネルと接続したマイクロチャネルを備える前記システムのポンプ装置に供給するステップと、
前記ナノチャネル内に電場を誘起して、前記ナノチャネルと接続した前記マイクロチャネルの領域内にイオン欠乏を発生させ、前記対象種のエネルギ障壁となる空間電荷層を形成するステップと、
前記マイクロチャネル内に電場を誘起することによって、前記マイクロチャネル内に電気浸透流を発生させるステップとを含み、
前記電気浸透流は、前記液体をさらに前記ポンプ装置に導入するようにし、前記電気浸透流は、前記電場の強度によって制御されることを特徴とする方法。
【請求項２７】
前記電場は、前記ナノチャネル内、前記マイクロチャネル内、又はその組み合わせにおいて誘起され、
前記ナノチャネル内、前記マイクロチャネル内、又はその組み合わせにおいて誘起される前記電場は、前記ナノチャネル、前記マイクロチャネル、又はその組み合わせに電圧を印加することによって誘起され、
前記電圧は、５０ｍＶ乃至５００Ｖであることを特徴とする請求項２６に記載の方法。
【請求項２８】
前記マイクロチャネルの陽極側及び陰極側に、等しい電圧が印加されるか、かつ／または前記マイクロチャネルの陽極側に、その陰極側に印加される電圧と比較して、より大きい電圧が印加されることを特徴とする請求項２６に記載の方法。
【請求項２９】
前記マイクロチャネルの前記陽極側に、前記より大きい電圧を印加する前に、空間電荷層が前記マイクロチャネル内に生成されることを特徴とする請求項２８に記載の方法。
【請求項３０】
前記電気浸透流は、速度が５００μｍ／秒乃至１ｍｍ／秒であることを特徴とする請求項２６に記載の方法。